(57)【要約】【課題】スキャナ、デジタルカメラなど、誰にでも使用可能な画像入力装置、映像入力装置を使用して、簡単に広告映像を作成でき、また、容易に更新可能にする。【解決手段】  広告映像が記憶されたメモリカード１２が携帯端末装置２に差し込まれた後、表示操作部１０が操作されて、広告映像更新指示入力されたとき、メモリカード１２に記憶された広告映像を読み出し、携帯端末装置２→ドームカメラ装置５→映像記録装置７なる経路で、映像記録装置７に供給して、ハードディスク１９の広告映像エリアに記憶されている広告映像を更新する。【選択図】図１
2006256724.tif 000002
【特許請求の範囲】
【請求項１】
防犯映像と広告映像とを少なくとも含む表示情報を保存する映像記録装置と、
少なくともエレベータかご内またはエレベータホールに設置され、防犯監視対象を撮影する撮影部、撮影された防犯映像を前記映像記録装置に保存させるために送信するとともに前記映像記録装置に保存された前記表示情報を外部に無線送信する送信部、および外部から無線伝送されてきた表示情報を含む各種の情報を受信する受信部を有する防犯カメラ装置と、
少なくともエレベータかご内またはエレベータホールに設置され、前記映像記録装置に保存されている防犯映像または広告映像を表示する表示装置と、
前記映像記録装置に保存されている前記表示情報を前記防犯カメラ装置の送信部を介して入手してモニタするとともに新たな広告映像を含む広告情報を更新用の広告情報として前記防犯カメラ装置の受信部を介して前記映像記録装置に伝送する携帯端末装置と、
を具備することを特徴とするエレベータ表示制御システム。
【請求項２】
防犯映像と広告映像とを少なくとも含む表示情報を保存する映像記録装置と、
少なくともエレベータかご内またはエレベータホールに設置され、防犯監視対象を撮影する撮影部、撮影された防犯映像を前記映像記録装置に保存させるために送信するとともに前記映像記録装置に保存された前記表示情報を外部に無線送信する送信部、および外部から無線伝送されてきた表示情報を含む各種の情報を受信する受信部を有する防犯カメラ装置と、
少なくともエレベータかご内またはエレベータホールに設置され、前記映像記録装置に保存されている防犯映像または広告映像を表示する表示装置と、
広告対象を撮影して広告映像を取得するカメラ、および前記映像記録装置に保存されている前記表示情報を前記防犯カメラ装置の送信部を介して入手してモニタするとともに前記カメラにより広告対象を撮影して得られた広告映像を含む広告情報を更新用の広告情報として前記防犯カメラ装置の受信部を介して前記映像記録装置に伝送する映像編集機を少なくとも有する撮影装置と、
を具備することを特徴とするエレベータ表示制御システム。
【請求項３】
防犯映像と広告映像とを少なくとも含む表示情報を保存するとともに赤外線通信機能を有する映像記録装置と、
少なくともエレベータかご内またはエレベータホールに設置され、防犯監視対象を撮影する撮影部を有する防犯カメラ装置と、
少なくともエレベータかご内またはエレベータホールに設置され、前記映像記録装置に保存されている防犯映像または広告映像を表示する表示装置と、
広告対象を撮影して広告映像を取得するカメラ部、およびこのカメラ部によって撮影された広告映像を含む広告情報を更新用の広告情報として前記映像記録装置に赤外線信号形式で供給する処理部を少なくとも有するリモコン装置と、
を具備することを特徴とするエレベータ表示制御システム。
【請求項４】
請求項１乃至３のいずれか１項に記載のエレベータ表示制御システムにおいて、
前記映像記憶装置は、あらかじめ設定された広告条件に基づき、防犯映像と広告映像とを平面的または時系列に組み合わせた表示映像を生成して前記表示装置に表示する制御手段を具備することを特徴とするエレベータ表示制御システム。
【請求項５】
請求項１乃至４のいずれか１項に記載のエレベータ表示制御システムにおいて、
前記防犯カメラ装置が設置されているエリアまたは前記表示装置が設置されているエリアの少なくとも何れかに当該エリア内に人が存在するか否かを検知する人体検知装置を設け、人が存在する場合には前記映像記録装置に映像切り替え動作を行わせて、前記表示装置に表示される映像を防犯映像と広告映像との間で切り替えることを特徴とするエレベータ表示制御システム。
【発明の詳細な説明】
【技術分野】
【０００１】
本発明は、エレベータの乗りかごやエレベータホール、店舗のエントランス、マンションの玄関ホールなどに設置された表示装置上に防犯映像や広告映像などを表示するエレベータ表示制御システムに関する。
【背景技術】
【０００２】
マンションやビルの中には、防犯用の表示制御システムを設置しているところがある。この表示制御システムでは、エレベータ乗りかご内の天井板や側板の上部などに防犯カメラを取り付け、この防犯カメラで得られた映像（防犯映像）を、例えば乗りかごの天井板上などに設けられた映像記録装置に記録するようにしている。
【０００３】
このような表示制御システムでは、防犯映像に関する撮影条件を変更する必要があるとき、保守員などが乗りかご上部に上り映像記録装置の操作ボタンを操作して変更している。変更される撮像条件としては、防犯映像の保存期間などがある。また、映像記録装置に記録されている防犯映像を確認するときにも、保守員などが乗りかご上部に上り、映像記録装置にモニタ装置を接続した後、映像記録装置の操作ボタンを操作して、記録された防犯映像をモニタ装置に表示させて確認するようにしている。
【０００４】
また、このような表示制御システムの中には、乗りかご内に映像出力端子やコントロール端子などを設けたものもある。このシステムによれば、保守員が乗りかご上部に上ることなく、乗りかご内の映像出力端子、コントロール端子などに、モニタ装置や操作装置を接続し、記録されている防犯映像の確認、撮影条件の変更を行うことができる。
【０００５】
さらに、このような表示制御システムの中には、乗りかごの側板に表示装置を取り付け、防犯カメラで得られた防犯映像を表示して、防犯効果を高めたり、映像記録装置に予め登録された広告映像などを表示できるシステムも開発されている。
【特許文献１】特開平１１−３４３０８０号公報
【発明の開示】
【発明が解決しようとする課題】
【０００６】
上述したように、従来の表示制御システムでは、表示装置に表示される広告映像や、広告条件（広告映像を表示装置に表示するための表示スケジュールや表示の順番、表示形式等の広告表示に関する条件をいう）などの広告情報を更新するために、先ず、スキャナなどで広告チラシなどを撮影してパソコン装置などに広告映像を記録した後、保守員に更新を依頼する必要がある。依頼された保守員は乗りかご上部に上り、映像記録装置にパソコン装置などを接続し、映像記録装置内に記録されている広告映像を更新するという作業をしなければならない。
【０００７】
このため、乗りかご内に設置されている表示装置、各エレベータホールなどに設置されている各表示装置に表示される広告映像や広告条件などの広告情報の更新には、かなりの手間がかかり、広告会社の社員、マンション側、ビル側の管理者などにより、表示装置に表示される広告映像や広告条件などを簡単に更新することができるシステムの開発が強く望まれていた。
【０００８】
本発明は上記の事情に鑑み、表示装置に表示される広告映像の内容、表示形式などを容易に更新でき、防犯効果のみならず、広告効果を飛躍的に向上させることができるエレベータ表示制御システムを提供することを目的としている。
【課題を解決するための手段】
【０００９】
上記の目的を達成するために本発明は、防犯映像と広告映像とを少なくとも含む表示情報を保存する映像記録装置と、少なくともエレベータかご内またはエレベータホールに設置され、防犯監視対象を撮影する撮影部、撮影された防犯映像を前記映像記録装置に保存させるために送信するとともに前記映像記録装置に保存された前記表示情報を外部に無線送信する送信部、および外部から無線伝送されてきた表示情報を含む各種の情報を受信する受信部を有する防犯カメラ装置と、少なくともエレベータかご内またはエレベータホールに設置され、前記映像記録装置に保存されている防犯映像または広告映像を表示する表示装置と、前記映像記録装置に保存されている前記表示情報を前記防犯カメラ装置の送信部を介して入手してモニタするとともに新たな広告映像を含む広告情報を更新用の広告情報として前記防犯カメラ装置の受信部を介して前記映像記録装置に伝送する携帯端末装置とを具備することを特徴としている。
【００１０】
また、他の発明は、防犯映像と広告映像とを少なくとも含む表示情報を保存する映像記録装置と、少なくともエレベータかご内またはエレベータホールに設置され、防犯監視対象を撮影する撮影部、撮影された防犯映像を前記映像記録装置に保存させるために送信するとともに前記映像記録装置に保存された前記表示情報を外部に無線送信する送信部、および外部から無線伝送されてきた表示情報を含む各種の情報を受信する受信部を有する防犯カメラ装置と、少なくともエレベータかご内またはエレベータホールに設置され、前記映像記録装置に保存されている防犯映像または広告映像を表示する表示装置と、広告対象を撮影して広告映像を取得するカメラ、および前記映像記録装置に保存されている前記表示情報を前記防犯カメラ装置の送信部を介して入手してモニタするとともに前記カメラにより広告対象を撮影して得られた広告映像を含む広告情報を更新用の広告情報として前記防犯カメラ装置の受信部を介して前記映像記録装置に伝送する映像編集機を少なくとも有する撮影装置とを具備することを特徴としている。
【００１１】
さらに他の発明は、防犯映像と広告映像とを少なくとも含む表示情報を保存するとともに赤外線通信機能を有する映像記録装置と、少なくともエレベータかご内またはエレベータホールに設置され、防犯監視対象を撮影する撮影部を有する防犯カメラ装置と、少なくともエレベータかご内またはエレベータホールに設置され、前記映像記録装置に保存されている防犯映像または広告映像を表示する表示装置と、広告対象を撮影して広告映像を取得するカメラ部、およびこのカメラ部によって撮影された広告映像を含む広告情報を更新用の広告情報として前記映像記録装置に赤外線信号形式で供給する処理部を少なくとも有するリモコン装置とを具備することを特徴としている。
【００１２】
さらに、上記各発明において、前記映像記憶装置は、前記広告条件に基づき、防犯映像と広告映像とを平面的または時系列に組み合わせた表示映像を生成して、前記表示装置に表示する制御手段を具備することも特徴としている。
【００１３】
さらに、上記各発明において、前記防犯カメラ装置が設置されているエリアまたは前記表示装置が設置されているエリアの少なくとも何れかに当該エリア内に人が存在するか否かを検知する人体検知装置を設け、人が存在する場合には前記映像記録装置に映像切り替え動作を行わせ、前記表示装置に表示される映像を防犯映像と広告映像との間で切り替えることも特徴としている。
【発明の効果】
【００１４】
本発明によるエレベータ表示制御システムによれば、外部装置からの遠隔指示によって表示装置に表示される広告映像の内容、表示形式などを容易に更新することができ、防犯効果のみならず、広告効果を飛躍的に向上させることができる。このため、従来のように映像記録装置がエレベータの乗りかご上などに設置されているときでも、保守員が乗りかご上に上って更新作業をする必要がなく、また、乗りかご内に映像入力端子、コントロール端子などを設ける必要がなく、乗りかご内にパソコン装置などを持ち込む必要もない。
【発明を実施するための最良の形態】
【００１５】
《第１の実施形態》
図１は本発明によるエレベータ表示制御システムの第１の実施形態を示す概略構成図である。
【００１６】
ここで、本発明では、以下「防犯映像」とは、防犯カメラ装置でエレベータかご内やエレベータホールなどの防犯監視対象を撮像して得られた映像を指す。「広告映像」とは、カメラやスキャナなどによってチラシ広告紙などの広告媒体から得られた広告に関する映像を指す。「広告条件」とは、広告映像を表示装置に表示するための表示スケジュールや表示の順番、表示形式等の広告表示に関する条件を指す。また、広告映像と広告情報に代表される広告に関する情報を総称して「広告情報」と記す。さらに、防犯映像と、広告情報とを総称して「表示情報」と記す。
【００１７】
この図に示すエレベータ表示制御システム１は、保守員などによって携帯される携帯端末装置２と、エレベータ設備を構成する乗りかご３内の天井板や各エレベータホール４の天井板などに固定される複数のドームカメラ装置５とを備える。また、乗りかご３内や各エレベータホール４などに利用者がいるとき、これを検知する人体検知装置６と、乗りかご３上に設置される映像記録装置７と、乗りかご３内の側板や各エレベータホール４の壁などに取り付けられる表示装置８とを備える。
【００１８】
携帯端末装置２は、保守員などによって携帯自在な形状、大きさを持つ携帯筐体９と、液晶表示器や各種指示ボタンなどを有する表示操作部１０と、無線信号の授受を行うアンテナ１１とを備える。また、この携帯端末装置２は、デジタルカメラなどによって撮影された広告映像やパソコン装置などで作成された広告映像などが記憶され、携帯筐体９に形成されたスロットに取り外し自在に差し込まれるメモリカード１２と、携帯筐体９内に配置された処理基板１３とを備える。処理基板１３は、表示操作部１０の操作内容に基づき、各種指示やメモリカード１２に記録されている広告映像などを含む無線信号を生成してアンテナ１１から送信する処理を実行する。また、アンテナ１１で受信された無線信号を復調し、復調された無線信号に含まれる広告映像、撮影条件または広告条件などの表示情報を再生して表示操作部１０の液晶表示器上に表示する処理を実行する。また、表示操作部１０の操作内容に基づき、液晶表示器上に表示されている広告映像、撮影条件または広告条件などを編集してメモリカード１２に記憶する処理などを実行する。
【００１９】
ドームカメラ装置５は、エレベータ設備を構成する乗りかご３内の天井板や各エレベータホール４の天井板など固定板１４を介して取り付けられ、乗りかご３内や各エレベータホール４などを撮影して映像記録装置７に防犯映像を供給するカメラ本体１５と、携帯端末装置２と無線信号の授受を行う送受信部１６と、送受信部１６およびカメラ本体１５を覆うように固定板１４に固定されるドーム１７とを備える。
【００２０】
人体検知装置６は、乗りかご３内の天井板、側板上部、各エレベータホール４の天井板、壁上部などに設けられた赤外線センサや画像センサなどのセンサ類で構成されている。そして、乗りかご３内や各エレベータホール４などに利用者がいるとき、これを検知して利用者検知信号を生成し、映像記録装置７に供給する。
【００２１】
映像記録装置７は、乗りかご３上に設置可能な形状、大きさに形成される記録装置筐体１８と、防犯映像を記録する防犯映像記録エリア、広告映像を記憶する広告映像記憶エリアなどを持ち、記録装置筐体１８内に配置されるハードディスク１９と、処理基板２０とを備える。処理基板２０は、撮影された防犯映像、広告映像を取り込んでハードディスク１９に記憶する処理を実行する。また、ハードディスク１９に記憶されている防犯映像、広告映像などを読み出し、これらを合成した表示映像または指定された順序で並べた表示映像を生成して表示装置８に供給する処理などを実行する。
【００２２】
表示装置８は、乗りかご３内の側板や各エレベータホール４の壁などに取り付けられる表示筐体２１と、表示筐体２１に形成された開口部に取り付けられる液晶表示器２２と、表示筐体２１内に設けられ、映像記録装置７から供給される表示映像を取り込み、液晶表示器２２上に表示する映像処理基板２３とを備える。
【００２３】
次に、本発明の第１の実施形態の動作を説明する。
【００２４】
＜防犯映像の撮影と保存＞
映像記録装置７は、メモリに記憶されている撮影条件に基づき、各ドームカメラ装置５を制御する。各ドームカメラ装置５は、映像記録装置７から出力される撮影条件に応じて、乗りかご３内や各エレベータホール４などを撮影し、撮影された防犯映像を映像記録装置７に供給する。映像記録装置７は、撮影動作で得られる防犯映像を取り込み、ハードディスク１９に保存する。
【００２５】
＜防犯映像、広告映像の表示＞
先ず、作業者は携帯端末装置２の表示操作部１０から防犯映像や広告映像などの表示指示、撮影条件や広告条件などの条件表示指示などを入力する。携帯端末装置２は、これらの表示指示や条件表示指示などを内容とする映像要求や条件要求などを含む無線信号を各ドームカメラ装置５に向けて送信する。
【００２６】
映像要求や条件要求などを含む無線信号を受信したドームカメラ装置５は、表示指示や条件表示指示などを内容とする表示指示を映像記録装置７に出力する。
【００２７】
映像記録装置７は、メモリに記憶されている広告条件、各人体検知装置６の検知結果などに基づき、ハードディスク１９に記憶されている広告映像、防犯映像などを読み出して、これらを合成した表示映像または指定された順序で、並べた表示映像を生成し、表示装置８に供給する。
【００２８】
表示装置８は、映像記録装置７から出力される表示映像を取り込み、液晶表示器２２上に表示する。
【００２９】
また、ドームカメラ装置５の送受信部１６は、携帯端末装置２からの映像要求、条件要求などを含む無線信号を受信すると、映像記録装置７に対して防犯映像、広告映像、撮影条件、広告条件などの送信要求を出力する。これに応答して映像記録装置７から出力された防犯映像、広告映像、撮影条件、広告条件などを取り込んで無線信号に変換して送信する。
【００３０】
携帯端末装置２では、ドームカメラ装置５から防犯映像、広告映像、撮影条件、広告条件などを含む無線信号が送信されてきたとき、これを受信して、表示操作部１０の液晶表示器上に防犯映像や広告映像、撮影条件や広告条件などを表示する。
【００３１】
＜広告映像等の更新＞
携帯端末装置２の表示操作部１０から広告映像の編集指示、撮影条件、広告条件の変更指示などが入力されると、表示操作部１０の液晶表示器上に表示されている広告映像、撮影条件、広告条件などを編集、変更して、メモリカード１２に記憶する。また、表示操作部１０から広告映像、撮影条件、広告条件などの送信指示が入力されると、メモリカード１２に記憶されている広告映像、例えば表示操作部１０の各種ボタンが操作されて、編集された広告映像またはデジタルカメラなどによって撮影されあるいはパソコン装置などで作成されて記憶された広告映像、および変更された撮影条件、広告条件などを読み出し、広告映像、撮影条件、広告条件、更新指示などを含む無線信号を各ドームカメラ装置５に送信する。
【００３２】
ドームカメラ装置５の送受信部１６は、広告映像、広告映像などの更新指示を含む無線信号を受信すると、映像記録装置７に更新指示を出して広告映像などを更新させる。
【００３３】
映像記録装置７は、各ドームカメラ装置５のいずれかから撮影条件、広告条件、広告映像（携帯端末装置９から無線信号で送信された撮影条件、広告条件、広告映像）などとともに、更新指示が出力されたとき、これを取り込む。そして、メモリ、ハードディスク１９などに記憶されている撮影条件、広告条件、広告映像を更新する。
【００３４】
このように、第１の実施形態では、携帯端末装置２に装填されたメモリカード１２から広告映像を読み出し、携帯端末装置２→ドームカメラ装置５→映像記録装置７なる経路で、映像記録装置７に供給して、ハードディスク１９の広告映像エリアに記憶されている広告映像を更新するようにしている。このため、メモリカード１２を使用することができるスキャナ、デジタルカメラなど、誰にでも使用可能な画像入力装置、映像入力装置を使用して簡単に広告映像を作成することができる。これによって、従来のように保守員を乗りかご３上に上らせることなく、また乗りかご３内に映像入力端子、コントロール端子などを設けることなく、さらに乗りかご３内にパソコン装置などを持ち込むことなく、各表示装置８に表示される広告映像を更新することができる。
【００３５】
また、第１の実施形態では、携帯端末装置２の表示操作部１０が操作されて、映像記録装置７に記録されている広告条件の変更指示、撮影条件の変更指示、広告映像の編集指示などが入力されたとき、映像記録装置７のメモリに記憶されている広告条件、撮影条件、ハードディスク１９の広告映像エリアに記憶されている広告映像などを読み出し、映像記録装置７→ドームカメラ装置５→携帯端末装置２なる経路で、携帯端末装置２に供給して変更処理、編集処理などを行わせる。また、携帯端末装置２→ドームカメラ装置５→映像記録装置７なる経路で、映像記録装置７に供給し、メモリに記憶されている広告条件、撮影条件、ハードディスク１９の広告映像エリアに記憶されている広告映像を更新するようにしている。  このため、保守員を乗りかご３上に上らせることなく、また乗りかご３内に映像入力端子、コントロール端子などを設けることなく、さらに乗りかご３内にパソコン装置などを持ち込むことなく、各防犯カメラ装置５の撮影内容、各表示装置８に表示される広告映像の表示内容などを更新することができる。
【００３６】
また、第１の実施形態では、映像記録装置７のメモリに記憶した広告条件に応じて、乗りかご３内やエレベータホール４に設置された各表示装置８の表示エリアを分割して、防犯映像と、広告映像とを同時に表示したり、各時刻毎に、防犯映像、広告映像のいずれか一方を表示したりすることもできる。
【００３７】
このため、防犯が必要なときには、各表示装置８に防犯映像のみを表示して防犯効果を高めることができる。また、広告が必要なときには、各表示装置８に広告映像のみを表示して広告効果を高めることができる。また、広告映像の一部に防犯映像を組み込ませたり、防犯映像の一部に広告映像を組み込ませたりすることができる。さらに、これら防犯映像、広告映像の組み合わせを時刻毎に最適化することにより、防犯効果とともに、広告効果を高めることができる。
【００３８】
さらに、第１の実施形態では、携帯端末装置２に入力された広告条件と、各人体検知装置７の検知結果に基づき、各表示装置８に表示される映像を制御するようにしている。このため、各人体検知装置７によって、乗りかご３内や、各エレベータホール４などに利用者がいないことが検知されているとき、各表示装置８の表示を停止して省エネ化を図ることができる。また、携帯端末装置２の表示操作部１０を操作して、時刻、利用者の有無とを組み合わせた広告条件を設定し、防犯をあまり必要としない午前８時から午後７時までの間、各人体検知装置７によって、乗りかご３内、各エレベータホール４などの利用者が検知されているとき、広告映像を表示して広告効果を高めることができる。また、防犯効果を必要とする例えば午後７時以降から午前８時までの間、各人体検知装置７によって、乗りかご３内や各エレベータホールなどにおいて利用者が検知されているとき、各表示装置８に防犯映像を表示することで防犯効果を高めることができる。
【００３９】
《第２の実施形態》
図２は本発明によるエレベータ表示制御システムの第２の実施形態を示す概略構成図である。なお、この図において、図１の各部と対応する部分には同じ符号を付してある。
【００４０】
この図に示すエレベータ表示制御システム２６が図１に示すエレベータ表示制御システム１と異なる点は、携帯端末装置２に代えて、撮影装置２７を使用し、映像記録装置７に記憶されている広告映像、撮影条件、広告条件などを変更するようにしたことである。
【００４１】
撮影装置２７は、チラシ、広告紙などの広告媒体３０などが乗せられる接写台２８と、接写台２８に垂設された支柱２９の上部側に上下動自在に取り付けられ、広告媒体３０を撮影して広告映像を生成する接写カメラ３１と、支柱２９の上部側に上下動自在に取り付けられ、広告媒体３０を照明する照明器具３２と、液晶表示器、各種指示ボタンなどが配置される表示操作部３３と、映像編集機３４とを備える。映像編集機３４は、表示操作部３３の操作内容に基づいて接写カメラ３１から出力される広告映像を取り込んで記憶部などに記憶する処理を実行する。また、表示操作部３３の操作内容に基づいて記憶部に記憶されている広告映像や撮影条件、広告条件などを表示する処理を実行する。さらに、表示操作部３３の液晶表示器に表示されている広告映像や撮影条件、広告条件などの各種指示などを含む無線信号を生成してアンテナから送信する処理を実行する。さらに、アンテナで受信された無線信号を復調して防犯映像や広告映像、撮影条件、広告条件などを再生し表示操作部３３の液晶表示器上に表示する処理を実行する。さらに、表示操作部３３の操作内容に基づいて液晶表示器上に表示されている防犯映像や広告映像、撮影条件、広告条件などを編集して記憶部に記憶する処理などを実行する。
【００４２】
次に、第２の実施形態の作用を説明する。
【００４３】
＜撮影装置２７の動作＞
表示操作部３３の各種ボタンが操作されて、映像入力指示が入力されたとき、接写カメラ３１、照明器具３２などが動作して、接写台２８に載置された広告チラシなどの広告媒体３０を撮影するとともに、撮影動作で得られた広告映像を映像編集機３４の記憶部などに記憶する。
【００４４】
また、表示操作部３３の各種ボタンが操作されて、防犯映像、広告映像などの表示指示、撮影条件、広告条件などの条件表示指示などが入力されると、映像要求、条件要求などを含む無線信号をドームカメラ装置５に送信する。この後、これに対応して、ドームカメラ装置５から防犯映像、広告映像、撮影条件、広告条件などを含む無線信号が送信されたとき、これを受信して、表示操作部３３の液晶表示器上に防犯映像、広告映像、撮影条件、広告条件などを表示する。
【００４５】
また、表示操作部３３の各種ボタンが操作されて、広告映像の編集指示、撮影条件変更指示、広告条件変更指示などが入力されると、表示操作部３３の液晶表示器上に表示されている広告映像、撮影条件、広告条件などを編集、変更して、記憶部に記憶する。
【００４６】
また、表示操作部３３の各種ボタンが操作されて、広告映像、撮影条件、広告条件などの送信指示が入力されると、接写カメラ３１で撮像されて記憶された広告映像、編集された広告映像、変更された撮影条件や広告条件などを読み出し、広告映像、撮影条件、広告条件、更新指示などを含む無線信号をドームカメラ装置５に送信する。
【００４７】
このように、第２の実施形態では、先ず、接写カメラ３１で広告チラシなどの広告媒体３０を撮影して得られた広告映像を映像編集機３４の記憶部に記憶する。次いで、表示操作部３３が操作され、広告映像更新指示が入力されると、映像編集機３４→ドームカメラ装置５→映像記録装置７なる経路で、映像記録装置７に供給し、ハードディスク１９の広告映像エリアに記憶されている広告映像を更新する。このため、広告媒体３０を接写台２８上に載せて撮影するだけ、新たな広告映像を作成して映像記録装置７に供給することができる。従って、第１の実施形態と同様に、保守員が乗りかご上に上ることなく、また乗りかご３内に映像入力端子、コントロール端子などを設けることなく、さらに乗りかご３内にパソコン装置などを持ち込むことなく、各表示装置８に表示される広告映像を更新することができる。
【００４８】
また、映像編集機３４の表示操作部３３から、映像記録装置７に記録されている広告条件の変更指示、撮影条件の変更指示、広告映像の編集指示などが入力されると、映像記録装置７のメモリに記憶されている広告条件、撮影条件、ハードディスク１９の広告映像エリアに記憶されている広告映像などを読み出す。読み出した広告映像を映像記録装置７→ドームカメラ装置５→映像編集機３４なる経路で、映像編集機３４に供給する。そして、変更処理、編集処理などが行われた後、映像編集機３４→ドームカメラ装置５→映像記録装置７なる経路で映像記録装置７に供給し、メモリに記憶されている広告条件、撮影条件、ハードディスク１９の広告映像エリアに記憶されている広告映像を更新する。これにより、保守員を乗りかご３上に上らせることなく、また乗りかご３内に映像入力端子、コントロール端子などを設けることなく、さらに乗りかご３内にパソコン装置などを持ち込むことなく、防犯カメラ装置５の撮影条件、各表示装置８に表示される広告映像の表示内容などを更新することができる。
【００４９】
また、映像記録装置７のメモリに記憶させた広告条件に応じて、乗りかご３内やエレベータホール４に設置された各表示装置８の表示エリアを分割して、防犯映像と、広告映像とを同時に表示したり、各時刻毎に、防犯映像、広告映像のいずれか一方を表示したりする。このため、防犯が必要なときには、各表示装置８に防犯映像のみを表示して防犯効果を高めることができる。また、広告が必要なときには、各表示装置８に広告映像のみを表示して広告効果を高めることができる。さらに、広告映像の一部に防犯映像を組み込ませたり、防犯映像の一部に広告映像を組み込ませたり、あるいは、各時刻毎にこれら防犯映像、広告映像の組み合わせを最適化させて防犯効果と広告効果とを高めることができる。
【００５０】
また、第２の実施形態では、映像編集機３４に入力された広告条件と、各人体検知装置７の検知結果に基づき、各表示装置８に表示する映像を制御するようにしている。このため、各人体検知装置７によって、乗りかご３内、各エレベータホール４などに利用者がいないことが検知されているとき、各表示装置８の表示を停止して、省エネ化を図り、また映像編集機３４の表示操作部３３を操作して、時刻、利用者の有無とを組み合わせた広告条件を設定し、防犯をあまり必要としない例えば午前８時から午後７時までの間、各人体検知装置７によって、乗りかご３内、各エレベータホール４などの利用者が検知されているとき、広告映像を表示して、広告効果を高め、また防犯効果を必要とする、午後７時以降から午前８時までの間、各人体検知装置７によって、乗りかご３内、各エレベータホールなどの利用者が検知されているとき、各表示装置８に防犯映像を表示し防犯効果を高めることができる。
【００５１】
《第３の実施形態》
図３は本発明によるエレベータ表示制御システムの第３の実施形態を示す概略構成図である。なお、この図において、図１の各部と対応する部分には、同じ符号が付してある。
【００５２】
第３の実施形態では、赤外線通信機能を持たない映像記録装置７に代えて、赤外線通信機能を持つ映像記録装置４２が設けられている。そして、赤外線通信機能、カメラ機能などを持つリモコン装置４３を使用して映像記録装置４２に記憶されている広告映像、撮影条件、広告条件などを変更するようにしている。
【００５３】
リモコン装置４３は、携帯自在な形状、大きさを持つリモコン筐体４４に形成されたスロットに取り外し自在に差し込まれるメモリカード４５と、リモコン筐体４４上に配置され、広告チラシなどの広告媒体、食品や洋服などの広告対象物を撮影して広告映像を生成しメモリカード４５に記憶するカメラ部４６とを備える。また、リモコン筐体４４上に配置され、液晶表示器、各種指示ボタンなどが配置される表示操作部４７と、リモコン筐体４４に取り付けられ、映像記録装置４２と赤外線信号の授受を行う光送受信部４８と、リモコン筐体４４内に配置された処理基板４９とを備える。処理基板４９は、表示操作部４７の操作内容に基づき、メモリカード４５に記録されている広告映像、各種指示などを含む送信信号を生成して光送受信部４８から赤外線信号を出射する処理を実行する。また、光送受信部４８で受光された赤外線信号を復調して広告映像や撮影条件、広告条件などを再生し、表示操作部４７の液晶表示器上に表示する処理を実行する。さらに、表示操作部４７の操作内容に基づき、液晶表示器上に表示されている広告映像、撮影条件、広告条件などを編集して、メモリカード４５に記憶する処理などを実行する。
【００５４】
第３の実施形態の映像記録装置４２は、記録装置筐体５０の下面側などに設置され、乗りかご３の天井板に形成された開口部を介してリモコン装置４３と赤外線信号の授受を行う光送受信部５１を備える。また、防犯映像を記録する防犯映像記録エリア、広告映像を記憶する広告映像記憶エリアなどを持つハードディスク５２と、処理基板５３とを備える。処理基板５３は、光送受信部５１で受光された赤外線信号を復調して広告映像や撮影条件、広告条件などを再生し、メモリ、ハードディスク５２などに記憶する処理を実行する。また、ハードディスク５２に記憶されている防犯映像、広告映像、メモリに記憶されている撮影条件、広告条件などを読み出し、送信信号を生成し、光送受信部５１から赤外線信号を出射する処理を実行する。さらに、メモリに記憶されている撮影条件などに基づき、各ドームカメラ装置５に乗りかご３内、各エレベータホールなどを撮影しながら、撮影動作で得られた防犯映像を取り込み、ハードディスク５２に記憶する処理を実行する。さらに、メモリに記憶されている広告条件、各人体検知装置６の検知結果などに基づき、ハードディスク５２に記憶されている広告映像、防犯映像などを読み出して、これらを合成した表示映像または指定された順序で、並べた表示映像を生成し各表示装置８に供給する処理などを実行する。
【００５５】
次に、第３の実施形態の動作を説明する。
【００５６】
＜リモコン装置４３の動作＞
先ず、リモコン装置４３の表示操作部４７から各種ボタンが操作され、防犯映像、広告映像などの表示指示、撮影条件、広告条件などの条件表示指示が入力されると、リモコン装置４３の光送受信部４８は映像要求、条件要求などを含む赤外線信号を映像記録装置４２に送信する。映像記録装置４２は、この映像要求、条件要求を含む赤外線信号を受信し、これに対応して防犯映像、広告映像、撮影条件などを含む赤外線信号を送信する。リモコン装置４３では、これを受信して、表示操作部４７の液晶表示器上に防犯映像、広告映像、撮影条件などを表示する。また、表示操作部４７の各種ボタンが操作されて、広告映像の編集指示、撮影条件、広告条件の変更指示などが入力されると、表示操作部４７の液晶表示器上に表示されている広告映像、撮影条件、広告条件などを編集、変更してメモリカード４５に記憶する。また、表示操作部４７の各種ボタンが操作されて、広告映像、撮影条件、広告条件などの送信指示が入力されると、メモリカード４５に記憶されている広告映像、変更された撮影条件、広告条件などを読み出し、広告映像、撮影条件、広告条件、更新指示などを含む赤外線信号を映像記録装置４２に送信する。
【００５７】
＜映像記録装置４２の動作＞
映像記録装置４２では、光送受信部５１で受光された赤外線信号を復調して、リモコン装置４３から赤外線信号で送信された撮影条件、広告条件、広告映像が得られたとき、これらをメモリ、ハードディスク５２などに記憶する。また、光送受信部５１で受光された赤外線信号を復調して、リモコン装置４３から赤外線信号で送信された撮影条件、広告条件、映像要求などの送信要求が得られたとき、メモリに記憶されている撮影条件、広告条件、ハードディスク５２に記憶されている防犯映像、広告映像などを読み出して、光送受信部５１から防犯映像、広告映像などを含む赤外線信号をリモコン装置４３に送信する。また、メモリに記憶されている撮影条件に基づき、各ドームカメラ装置５を制御して、乗りかご３内、各エレベータホールなどを撮影するとともに、撮影動作で得られる防犯映像を取り込み、ハードディスク５２に記憶する。また、メモリに記憶されている広告条件、各人体検知装置６の検知結果などに基づき、ハードディスク５２に記憶されている広告映像、防犯映像などを読み出して、これらを合成した表示映像または指定された順序で、並べた表示映像を生成し、各表示装置８に供給する。
【００５８】
このように、第３の実施形態では、リモコン装置４３によって、広告チラシなどを撮影して、広告映像をメモリカード４５に記憶した後、広告映像更新指示を入力して、リモコン装置４３の光送受信部４８から赤外線信号を送信するとともに、映像記録装置４２の光送受信部５１に受信して、ハードディスク５２の広告映像エリアに記憶されている広告映像を更新するようにしている。このため、前述した実施形態と同様、広告会社の社員、エレベータの保守員などによって、広告映像を簡単に作成することができる。
【００５９】
また、第３の実施形態では、映像記録装置４２のメモリに記憶させた広告条件に応じて、乗りかご３内やエレベータホール４に設置された表示装置８の表示エリアを分割して、防犯映像と、広告映像とを同時に表示したり、各時刻毎に、防犯映像、広告映像のいずれか一方を表示したりするようにしている。このため、防犯が必要なときには、表示装置８に防犯映像のみを表示して、防犯効果を高めることができるとともに、広告が必要なときには、表示装置８に広告映像のみを表示して、広告効果を高めることができる。また、広告映像の一部に防犯映像を組み込ませたり、防犯映像の一部に広告映像を組み込ませたり、各時刻毎に、これら防犯映像、広告映像の組み合わせを最適化させて、防犯効果とともに、広告効果を高めることができる。
【００６０】
また、第３の実施形態では、リモコン装置４３に入力された広告条件と、各人体検知装置７の検知結果に基づき、各表示装置８に表示する映像を制御するようにしているので、各人体検知装置７によって、乗りかご３内やエレベータホール４などに利用者がいないことが検知されているとき、各表示装置８の表示を停止して、省エネ化を図り、またリモコン装置４３の表示操作部４７を操作して、時刻、利用者の有無とを組み合わせた広告条件を設定し、防犯をあまり必要としない、午前８時から午後７時までの間、各人体検知装置７によって、乗りかご３内、各エレベータホール４などの利用者が検知されているとき、広告映像を表示して、広告効果を高め、また防犯効果を必要とする例えば午後７時以降から午前８時までの間、各人体検知装置７によって、乗りかご３内、各エレベータホールなどの利用者が検知されているとき、各表示装置８に防犯映像を表示し防犯効果を高めることができる。
【００６１】
《他の実施形態》
上述した各実施形態では、メモリカード１２に記録された広告映像、撮影装置２７で撮影された広告映像、リモコン装置４３で撮影された広告映像などを映像記録装置７、４２のハードディスク１９、５２に記憶して各表示装置８に表示するようにしたが、図４の概略構成図に示すように、テレビカメラ装置６０などを使用して商品解説者６１などの映像を取り込み、これを広告映像として、映像編集機３４などに供給し、映像記録装置７のハードディスク１９などに記憶するようにしても良い。
【００６２】
これにより、各表示装置８に、動きがある広告を表示することができ、より広告効果を高めることができる。
【００６３】
また、上述した各実施形態では、映像記録装置４２などを乗りかご３の上に配置するようにしているが、図５に示すように、管理人室６５に配置し、接写カメラ６６、接写台６７などによって構成される撮影装置６８で得られた広告映像を直接、映像記録装置４２のハードディスク５２に記憶したり、リモコン装置４３で撮影された広告映像を赤外線信号で、映像記録装置４２に転送して、ハードディスク５２に記憶するようにしても良い。
【００６４】
このようなエレベータ表示制御システム６９においても、上述した各実施形態と同様に、乗りかご３内やエレベータホール４のセキュリティを高めながら、管理人、保守員などによって、広告映像を簡単に作成でき、表示装置８に表示される広告映像を容易に更新することができる。
【００６５】
また、上述した各実施形態では、乗りかご３内やエレベータホール４などにドームカメラ装置５と、表示装置８とを設置するようにしているが、他の場所、例えば図６の概略構成図に示すように、店舗のエントランス（あるいは、マンションの玄関ホールなど）７０などに接写カメラ７１を設置し、この接写カメラ７１で得られた店舗の食事メニュー７２などの広告映像を映像記録装置４２に記憶して、各表示装置８に表示するようにしても良い。
【００６６】
このようなエレベータ表示制御システム７３においても、上述した各実施形態と同様に、店舗、マンションなどのセキュリティを高めながら、店舗の店員、管理人、保守員などによって、広告映像を簡単に作成でき、表示装置８に表示される広告映像を容易に更新することができる。
【図面の簡単な説明】
【００６７】
【図１】本発明によるエレベータ表示制御システムの第１の実施形態を示す概略構成図。
【図２】本発明によるエレベータ表示制御システムの第２の実施形態を示す概略構成図。
【図３】本発明によるエレベータ表示制御システムの第３の実施形態を示す概略構成図。
【図４】本発明によるエレベータ表示制御システムの他の実施形態を示す概略構成図。
【図５】本発明によるエレベータ表示制御システムのさらに他の実施形態を示す概略構成図。
【図６】本発明によるエレベータ表示制御システムのさらに他の実施形態を示す概略構成図。
【符号の説明】
【００６８】
１：エレベータ表示制御システム、２：携帯端末装置、３：乗りかご、４：エレベータホール、５：ドームカメラ装置、６：人体検知装置、７：映像記録装置、８：表示装置、９：携帯筐体、１０：表示操作部、１１：アンテナ、１２：メモリカード、１３：処理基板、１４：固定板、１５：カメラ本体、１６：送受信部、１７：ドーム、１８：記録装置筐体、１９：ハードディスク、２０：処理基板、２１：表示筐体、２２：液晶表示器、２３：映像処理基板、２６：エレベータ表示制御システム、２７：撮影装置、２８：接写台、２９：支柱、３０：広告媒体、３１：接写カメラ、３２：照明器具、３３：表示操作部、３４：映像編集機、４１：エレベータ表示制御システム、４２：映像記録装置、４３：リモコン装置、４４：リモコン筐体、４５：メモリカード、４６：カメラ部、４７：表示操作部、４８：光送受信部、４９：処理基板、５０：記録装置筐体、５１：光送受信部、５２：ハードディスク、５３：処理基板、６０：テレビカメラ装置、６１：商品解説者、６５：管理人室、６６：接写カメラ、６７：接写台、６８：撮影装置、６９：エレベータ表示制御システム、７０：店舗のエントランス、７１：接写カメラ、７２：食事メニュー、７３：エレベータ表示制御システム。
【図１】
2006256724.tif 000003
【図２】
2006256724.tif 000004
【図３】
2006256724.tif 000005
【図４】
2006256724.tif 000006
【図５】
2006256724.tif 000007
【図６】
2006256724.tif 000008